(57)【要約】【課題】  マルチメディアデータ再生における連続性を奪うことがないデータ再生装置を提供する。【解決手段】データ再生装置は、少なくとも２つのコンテンツデータと各コンテンツデータの再生制御管理情報を含むマルチメディアデータが記録された記録媒体６０１から前記マルチメディアデータを読み出すデータ読み出し手段１０２と、前記データ読み出し手段１０２で読み出されたコンテンツデータを復号して映像信号又は音声信号を得る少なくとも２つの復号手段１０４，１０５と、前記復号手段で復号された映像信号又は音声信号を出力する少なくとも２つの映像／音声出力手段１０６，１０７と、前記マルチメディアデータに含まれる少なくとも２つの関連するコンテンツデータを夫々の再生制御管理情報に基づいて２つの前記復号手段及び２つの前記映像／音声出力手段を用いて同時に再生する制御を行う制御手段１０３と、を備えている。【選択図】図１
2005056518.tif 000002
【特許請求の範囲】
【請求項１】
少なくとも２つのコンテンツデータと各コンテンツデータの再生制御管理情報を含むマルチメディアデータを記録媒体から読み出して再生するデータ再生方法において、前記マルチメディアデータに含まれる少なくとも２つの関連するコンテンツデータを夫々の再生制御管理情報に基づいて同時に再生するデータ再生方法。
【請求項２】
少なくとも２つのコンテンツデータと各コンテンツデータの再生制御管理情報を含むマルチメディアデータが記録された記録媒体から前記マルチメディアデータを読み出すデータ読み出し手段と、
前記データ読み出し手段で読み出されたコンテンツデータを復号して映像信号又は音声信号を得る少なくとも２つの復号手段と、
前記復号手段で復号された映像信号又は音声信号を出力する少なくとも２つの映像／音声出力手段と、
前記マルチメディアデータに含まれる少なくとも２つの関連するコンテンツデータを夫々の再生制御管理情報に基づいて２つの前記復号手段及び２つの前記映像／音声出力手段を用いて同時に再生する制御を行う制御手段と、
を備えたデータ再生装置。
【請求項３】
少なくとも２つのコンテンツデータと各コンテンツデータの再生制御管理情報を含むマルチメディアデータが記録された記録媒体から前記マルチメディアデータを読み出すデータ読み出し手段と、
前記データ読み出し手段で読み出された少なくとも２つのコンテンツデータを同時に復号して夫々から映像信号又は音声信号を得る復号手段と、
前記復号手段で復号された少なくとも２つの映像信号又は音声信号を出力する少なくとも２つの映像／音声出力手段と、
前記マルチメディアデータに含まれる少なくとも２つの関連するコンテンツデータを夫々の再生制御管理情報に基づいて前記復号手段及び２つの前記映像／音声出力手段を用いて同時に再生する制御を行う制御手段と、
を備えたデータ再生装置。
【請求項４】
復号された少なくとも２つの映像信号又は音声信号を合成する合成手段を備え、前記合成手段にて合成された少なくとも２つの映像信号又は音声信号を１つの映像／音声出力手段から出力する請求項２又は請求項３のいずれかに記載のデータ再生装置。
【発明の詳細な説明】
【技術分野】
【０００１】
本発明は、ＤＶＤ（Digital Versatile Disc）をはじめとする、複数のデータが互いの再生を制御する能力を持つデータが記録された記録媒体からデータの再生を行うデータ再生方法及びデータ再生装置に関する。
【背景技術】
【０００２】
近年、動画像データやオーディオデータの圧縮技術の進歩と、光ディスクや半導体メモリ等の様々な記録媒体の大容量化に伴い、複数の動画像データ、複数のオーディオデータ、複数のグラフィックスデータ、複数の字幕データを統合的にマルチメディアデータとして扱うことが可能となっている。
【０００３】
マルチメディアデータを再生するデータ再生装置では、データをそのまま再生するだけでなく、ユーザのインタラクティブな操作やデータ製作者の意図によるマルチメディアデータ内の再生制御管理情報（再生制御に使用する各種変数を変化させるコマンド等の情報）によって再生の制御が行われるのが一般的である。例えば、ＤＶＤには１枚のディスク内に映画の本編の他に予告編やメイキングなど複数のマルチメディアデータが存在し、更にユーザのインタラクティブな操作を受け付けて各マルチメディアデータの再生を行うメニューも存在する。これらの本編、予告編、メイキング、メニューなどのマルチメディアデータはユーザのインタラクティブな操作や再生制御管理情報によって操作されることがなければそれぞれが独立しており、逆に言えばユーザのインタラクティブな操作や再生制御管理情報によって互いが関連しあって再生される。例えば、映画の本編とその音声や字幕を操作するメニューのあるＤＶＤの場合、本編とメニューの２つのマルチメディアデータがメディア内に存在し、互いが関連しあって再生される。
【０００４】
図６は、従来のデータ再生装置の構成を示すブロック図である。図６に示すように、従来のデータ再生装置は、マルチメディアデータ(例えば動画像データやオーディオデータ)が記録されている記録媒体６０１からマルチメディアデータの読み出しを行うデータリード部６０２と、マルチメディアデータの再生処理を制御するＭＰＵ（Micro Processing Unit）部６０３と、データリード部６０２で読み出された記録媒体６０１からのマルチメディアデータ（動画像データ又はオーディオデータ）を復号し映像信号又は音声信号に変換する復号部６０４と、復号部６０４からの映像信号又は音声信号を出力する映像／音声出力部６０５と、ユーザ操作の入力部（操作パネル又はリモートコントローラ等）６０６とから構成される。データリード部６０２は、ＭＰＵ部６０３及び復号部６０４が必要とするデータを十分な速度で転送できる読み出し及び転送性能を有している。
【０００５】
上記構成の従来のデータ再生装置において、ＭＰＵ部６０３がデータリード部６０２に目的のアドレスのマルチメディアデータを読み出すデータ読み出し命令を与えると、データリード部６０２が、与えられたデータ読み出し命令とアドレスに従って記録媒体６０１から目的のアドレスのマルチメディアデータを読み出す。すなわち、ＭＰＵ部６０３がマルチメディアデータの転送命令をデータリード部６０２に送る、もしくはデータ読み出し命令のオプションによって事前に指示することにより、データリード部６０２によって読み出された目的のアドレスのマルチメディアデータがＭＰＵ部６０３及び復号部６０４それぞれに転送される。
【０００６】
復号部６０４は、転送されてきたマルチメディアデータを復号し、映像信号又は音声信号に変換して映像／音声信号出力部６０５に入力する。ＭＰＵ部６０３は、転送されてきた再生制御データ（再生制御管理情報）を、データ製作者の意図による再生制御やユーザ操作の入力部６０６からのユーザ入力による再生制御に使用する。このように、複数のマルチメディアデータを再生する場合、ユーザ操作やデータ製作者の意図によって事前に用意された再生制御データ（再生制御管理情報）により、各マルチメディアデータを順番に再生する。
【０００７】
図７は、上記データ再生装置のコンテンツ再生処理を示すフローチャートである。図７において、再生開始に際し、まずユーザ操作等により再生コマンドを取得する（Ｓ１０１）。取得した再生コマンドが本編を再生する指示かメニューを再生する指示かを判定する（Ｓ１０２）。本編を再生する指示であった場合は本編の再生を行い（Ｓ１０３）、メニューを再生する指示であった場合はメニューの再生を行う（Ｓ１０８）。
【０００８】
本編の再生においては、ユーザ操作やデータ製作者の意図によってマルチメディアデータ内に事前に準備されたコマンド実行又は再生制御に使用する各種変数の処理があるかどうか判定する（Ｓ１０４）。コマンド実行又は変数処理があった場合、メニュー再生コマンドかどうかを判定する（Ｓ１０５）。メニュー再生コマンドである場合はメニュー再生処理へ移行し（Ｓ１０６→Ｓ１０８）、それ以外のメニュー再生を伴わないコマンドであった場合はそのコマンドを実行する（Ｓ１０７）。コマンド／変数処理実行を行った後、Ｓ１０３の本編再生に戻る。
【０００９】
メニュー再生コマンド実行の場合は、Ｓ１０８でメニュー再生を行う。そして、メニュー再生において、本編再生と同様にユーザ操作やデータ製作者の意図によってマルチメディアデータ内に事前に準備されたコマンド実行又は再生制御に使用する各種変数の処理があるかどうか判定する（Ｓ１０９）。コマンド実行又は変数処理があった場合は本編再生を行うコマンド（以降本編再生コマンド）であるかどうか判定する（Ｓ１１０）。本編再生コマンドである場合は本編再生コマンドを実行する（Ｓ１１１）。それ以外の本編再生を伴わないコマンドであった場合はそのコマンドを実行する（Ｓ１１２）。そして、そのコマンドの実行完了後、Ｓ１０８のメニュー再生に戻る。
【００１０】
なお、メニューが複数ある場合は事前にメニュー管理情報を記憶しておき、メニュー画面を選択するメニュー選択画面を作成する（この技術は、例えば特許文献１で開示されている）ことにより、所定のメニュー再生に容易に移行することができる。このようにして本編再生とメニュー再生を移行することによって複数のマルチメディアデータを持つＤＶＤが再生される。
【００１１】
【特許文献１】特開２０００−１００１４１号公報（第３頁、第４頁、図６）
【発明の開示】
【発明が解決しようとする課題】
【００１２】
しかしながら、従来のデータ再生装置においては、本編再生中にメニューでのユーザ操作が行われた場合、必ず本編再生を一旦停止させてメニュー再生を行うので、本編再生の連続性が奪われてしまうという問題がある。
【００１３】
本発明は、係る点に鑑みてなされたものであり、マルチメディアデータ再生における連続性を奪うことがないデータ再生方法及びデータ再生装置を提供することを目的とする。
【課題を解決するための手段】
【００１４】
本発明のデータ再生方法は、少なくとも２つのコンテンツデータと各コンテンツデータの再生制御管理情報を含むマルチメディアデータを記録媒体から読み出して再生するデータ再生方法において、前記マルチメディアデータに含まれる少なくとも２つの関連するコンテンツデータを夫々の再生制御管理情報に基づいて同時に再生する。
【００１５】
この方法によれば、互いに関連性のある少なくとも２つのコンテンツデータについて、一方の再生の連続性を損なうことなく、他方のコンテンツデータのコマンドを使用したり、情報を取得したりすることができる。したがって、本編再生中にメニューでのユーザ操作が行われでも本編再生を一旦停止することがなく、連続して本編再生を行うことが可能となる。
【００１６】
また、本発明のデータ再生装置は、少なくとも２つのコンテンツデータと各コンテンツデータの再生制御管理情報を含むマルチメディアデータが記録された記録媒体から前記マルチメディアデータを読み出すデータ読み出し手段と、前記データ読み出し手段で読み出されたコンテンツデータを復号して映像信号又は音声信号を得る少なくとも２つの復号手段と、前記復号手段で復号された映像信号又は音声信号を出力する少なくとも２つの映像／音声出力手段と、前記マルチメディアデータに含まれる少なくとも２つの関連するコンテンツデータを夫々の再生制御管理情報に基づいて２つの前記復号手段及び２つの前記映像／音声出力手段を用いて同時に再生する制御を行う制御手段と、を備えている。
【００１７】
この構成によれば、互いに関連性のある少なくとも２つのコンテンツデータについて、一方の再生の連続性を損なうことなく、他方のコンテンツデータのコマンドを使用したり、情報を取得したりすることができる。したがって、本編再生中にメニューでのユーザ操作が行われでも本編再生を一旦停止することがなく、連続して本編再生を行うことが可能となる。
【００１８】
また、本発明のデータ再生装置は、少なくとも２つのコンテンツデータと各コンテンツデータの再生制御管理情報を含むマルチメディアデータが記録された記録媒体から前記マルチメディアデータを読み出すデータ読み出し手段と、前記データ読み出し手段で読み出された少なくとも２つにコンテンツデータを同時に復号して夫々から映像信号又は音声信号を得る復号手段と、前記復号手段で復号された少なくとも２つの映像信号又は音声信号を出力する少なくとも２つの映像／音声出力手段と、前記マルチメディアデータに含まれる少なくとも２つの関連するコンテンツデータを夫々の再生制御管理情報に基づいて前記復号手段及び２つの前記映像／音声出力手段を用いて同時に再生する制御を行う制御手段と、を備えている。
【００１９】
この構成によれば、１つの復号手段で複数のコンテンツを同時に復号するので、処理能力の低い復号手段を２つ用いる場合よりも多少コスト高になるが、省スペース化が図れ、装置の小型化が可能となる。
【００２０】
また、本発明のデータ再生装置は、復号された少なくとも２つの映像信号又は音声信号を合成する合成手段を更に備え、前記合成手段にて合成された少なくとも２つの映像信号又は音声信号を１つの映像／音声出力手段から出力する。
【００２１】
この構成によれば、少なくとも２つの映像信号又は音声信号を合成するので、映像／音声出力手段は１つで済み、その分、省スペース化が図れ、装置の小型化が可能となる。
【発明の効果】
【００２２】
本発明によれば、本編再生中にメニューでのユーザ操作が行われでも本編再生を一旦停止することがなく、連続して本編再生を行うことができる。
【発明を実施するための最良の形態】
【００２３】
以下、本発明を実施するための最良の形態について、図面を参照して詳細に説明する。
【００２４】
本発明のデータ再生装置は、複数の制御装置や、時分割制御されているＯＳ（オペレーティングシステム）等により、複数のマルチメディアデータを同時に再生できるものである。また、ＯＳ等は複数のマルチメディアデータ再生処理が互いに通信を行う機能と処理を休止及び起動させる機能を有する。本実施の形態では、例として２つのマルチメディアデータを再生するデータ再生装置について説明する。
【００２５】
図１は、本実施の形態のデータ再生装置の構成を示すブロック図である。図１において、本実施の形態のデータ再生装置は、マルチメディアデータが記録されている記録媒体６０１からマルチメディアデータの読み出しを行うデータリード部１０２と、マルチメディアデータの再生処理を制御するＭＰＵ（Micro Processing Unit）部１０３と、それぞれがマルチメディアデータを復号して映像信号又は音声信号に変換する２つの復号部１０４、１０５と、復号部１０４からの映像信号又は音声信号を出力する映像／音声出力部１０６と、復号部１０５からの映像信号又は音声信号を出力する映像／音声出力部１０７と、ユーザ操作を入力するユーザ操作の入力部（操作パネル又はリモートコントローラ等）１０８とを備えている。なお、データリード部１０２は、ＭＰＵ部１０３、復号部１０４及び復号部１０５が必要とするデータを十分な速度で転送できる読み出し及び転送性能を有している。また、ＤＶＤにおいては、記録媒体６０１は光ディスク、データリード部１０２はディスクドライブ部に相当する。
【００２６】
上記構成において、ＭＰＵ部１０３がデータリード部１０２に目的のアドレスのマルチメディアデータ読み出す命令を出す。データリード部１０２は、ＭＰＵ部１０３からのデータ読み出し命令とアドレスに従って記録媒体６０１より目的のアドレスのマルチメディアデータを読み出す。すなわち、ＭＰＵ部１０３がデータの転送命令をデータリード部１０２に送るか、またはデータ読み出し命令のオプションによって事前に指示することにより、目的のアドレスのマルチメディアデータがＭＰＵ部１０３、復号部１０４及び１０５それぞれに転送される。この場合、復号部１０４及び１０５には動画像データ又はオーディオデータが転送され、ＭＰＵ部１０３には再生制御データ又はコマンドが転送される。
【００２７】
復号部１０４に送られたコンテンツデータである動画像データ又はオーディオデータは、復号部１０４で復号されて映像信号又は音声信号として映像／音声出力部１０６に入力される。また同時に復号部１０５に送られたコンテンツデータである動画像データ又はオーディオデータは、復号部１０５で復号されて映像信号又は音声信号として映像／音声出力部１０７に入力される。また、ＭＰＵ部１０３に送られた再生制御データ（再生制御管理情報）又はコマンドは、ＭＰＵ部１０３がデータ製作者の意図による再生制御やユーザ操作の入力部１０８からのユーザ入力による再生制御に使用する。
【００２８】
図２は、本実施の形態のデータ再生装置のコンテンツ再生処理を示すフローチャートである。図２において、コンテンツ再生開始に際し、まずユーザ操作等により再生開始のコマンドを取得する（Ｓ２０１）。再生コマンドを取得すると、開始すべきマルチメディアデータを判断し（Ｓ２０２）、再生処理を開始する（Ｓ２０３）。他方の再生処理は再生コマンドが発行されるまで休止しており、再生コマンドが発行された時点から再生処理を開始する（Ｓ２０４）。
【００２９】
図３は、上記再生処理の詳細を示すフローチャートである。図３において、再生処理では、再生コマンドにより指定されたマルチメディアデータを把握し（Ｓ２０５）、指定されたマルチメディアデータの再生を行う（Ｓ２０６）。次いで、指定されたマルチメディアデータの再生においてユーザ操作や再生制御管理情報の処理があるかどうか判定する（Ｓ２０７）。そして、確認された処理が現在のマルチメディアデータではなく、他のマルチメディアデータの再生を制御する処理であるかどうか判定判定する（Ｓ２０８）。他のマルチメディアデータの再生を制御する処理である場合は、確認された再生処理要求を目標である他マルチメディアデータ再生処理へ送信する（Ｓ２０９）。これに対して、他のマルチメディアデータの再生を制御しない処理である場合は、元の処理を実行する（Ｓ２１０）。
【００３０】
再生処理要求の送信又は処理実行の完了後、他のマルチメディアデータから送信された要求を受信したかかどうか判定する（Ｓ２１１）。他のマルチメディアデータから送信された要求を受信した場合、その受信した要求を実行する（Ｓ２１２）。そして、処理要求受信確認及び受信した処理要求実行後、Ｓ２０６即ち指定されたマルチメディアデータ再生に戻る。また、他マルチメディアデータ再生処理への再生処理要求送信（Ｓ２０９）で送信された要求の送信先の再生処理が休止している場合はその送信先の再生処理が起動し、再生要求判断処理を行い、再生処理を行う。
【００３１】
この再生方法により、マルチメディアデータの再生の連続性を奪うことなく、複数のマルチメディアデータを同時に再生することが可能となる。また、この再生方法により、あるマルチメディアデータにおけるユーザ操作やデータ製作者の意図によって事前に準備された再生制御管理情報を他のマルチメディアデータの再生に反映させることができる。
【００３２】
このように本実施の形態のデータ再生装置によれば、少なくとも２つのコンテンツデータと各コンテンツデータの再生制御管理情報を含むマルチメディアデータを記録媒体６０１から読み出して再生するデータ再生装置において、マルチメディアデータに含まれる少なくとも２つの関連するコンテンツデータを夫々の再生制御管理情報に基づいて同時に再生するので、互いに関連性のある少なくとも２つのコンテンツデータについて、一方の再生の連続性を損なうことなく、他方のコンテンツデータのコマンドを使用したり、情報を取得したりすることができる。この結果、本編再生中にメニューでのユーザ操作が行われでも本編再生を一旦停止することがなく、連続して本編再生を行うことが可能となる。
【００３３】
なお、本実施の形態では、２つの復号部１０４及び１０５と２つの映像／音声出力部１０６及び１０７を有するものであるが、それぞれの数に限定はない。
【００３４】
また、本実施の形態では、復号部１０４及び１０５にはそれぞれ別のコンテンツデータを入力しているが、復号部が時分割等で複数のコンテンツデータを同時に復号できる十分な復号性能を有し、複数の映像／音声出力部への出力も行える場合は、図４に示す復号部４０４のように、複数のコンテンツデータを単一の復号部で復号するようにしてもよい。
【００３５】
更に、図５に示すように、複数の動画像又はオーディオデータをピクチャーインピクチャー等の形態に合成する合成部５０１を有し、上記と同等の機能を有する単一の映像／音声出力部１０６に入力するようにしてもよい。
【産業上の利用可能性】
【００３６】
本発明は、本編再生中にメニューでのユーザ操作が行われでも本編再生を一旦停止することがなく、連続して本編再生を行うことができるといった効果を有し、ＤＶＤ等の再生に用いて有用である。
【図面の簡単な説明】
【００３７】
【図１】本発明の実施の形態のデータ再生装置の構成を示すブロック図
【図２】本発明の実施の形態のデータ再生装置におけるコンテンツ再生処理を示すフローチャート
【図３】本発明の実施の形態のデータ再生装置におけるコンテンツ再生処理の詳細を示すフローチャート
【図４】本発明の実施の形態のデータ再生装置の応用例の構成を示すブロック図
【図５】本発明の実施の形態のデータ再生装置の他の応用例の構成を示すブロック図
【図６】従来のデータ再生装置の構成を示すブロック図
【図７】従来のデータ再生装置におけるコンテンツ再生処理を示すフローチャート
【符号の説明】
【００３８】
１０２  データリード部
１０３  ＭＰＵ部
１０４、１０５、４０４  復号部
１０６、１０７  映像／音声出力部
１０８  ユーザ操作の入力部
５０１  合成部
６０１  記録媒体
【図１】
2005056518.tif 000003
【図２】
2005056518.tif 000004
【図３】
2005056518.tif 000005
【図４】
2005056518.tif 000006
【図５】
2005056518.tif 000007
【図６】
2005056518.tif 000008
【図７】
2005056518.tif 000009